(57)【要約】      （修正有）【課題】子供にお小遣いやお年玉など差し上げる際に使用するポチ袋や、手紙或いはメッセージ、各種招待状などの文書を入れる封筒などに関し、袋体そのものに送る人の真心が籠り、意匠性を含めた立体感、及び重厚感、高級感を与える袋体を提供する。【解決手段】紙又はプラスチックシート等の基材の少なくとも片面に、所定の柄や文字等の印刷加工２を施し、所定の形状に型抜き・折り加工を施すことにより袋体を形成する。具体的には、表示部１を除く箇所は左右対称となるように型抜きし、該左右対称軸で折り返した時に重なり合う一対の頂点の夫々に、左右対称又は非対称の表示部１を形成する。さらに、該原紙を折り線４ａ〜４ｄに基づき所定の折り加工を施すことにより、所定の形状の表示部１が浮き出すように形成する。【選択図】図２
0003179829.tif 000002
【実用新案登録請求の範囲】
【請求項１】
紙又はプラスチックシート等の基材の少なくとも片面に、所定の柄や文字等の印刷加工を施し、所定の形状に型抜き・折り線加工が施された原紙に於いて、表示部を除く箇所は左右対称となるよう型抜きされており、該左右対称軸で折り返した時に重なり合う一対の頂点の夫々に、左右対称又は非対称の表示部が形成されており、該原紙を折り線に基づき所定の折り加工を施すことにより、所定の形状の表示部が浮き出すように形成されてなることを特徴とする袋体。
【考案の詳細な説明】
【技術分野】
【０００１】  本考案は、子供にお小遣いやお年玉など差し上げる際に使用するポチ袋や、手紙或いはメッセージ、各種招待状などの文書を入れる封筒などに関し、折りたたんで袋状に形成し使用する袋体に関するものである。
【背景技術】
【０００２】  従来のポチ袋や封筒は、予め袋状に糊づけされ表面に模様や文字等の飾りが設けられ、開口部より金銭や手紙などを入れ、封緘片を糊づけしたり、或いはしなかったりして相手に届けるものであった。これら従来のポチ袋や封筒は、袋体そのものに送る相手の真心等を感じさせるものはなく、受け取る側も中身を取れば袋体は廃棄するのが一般的であった。【０００３】  そこで袋体そのものに意匠性を含め、趣味や遊びなどの趣向をこらしたものが提案されてきた。なかでも離型紙と絵柄、文字、記号を表示してなるシールシートとを、粘着剤を介して貼着せられてなる多層紙により袋体を構成し、該袋体の絵柄、文字、記号などの表示部の外郭縁をハーフカットして剥離可能な貼着シールとしたことにより、粘着シール部を使用者の好みの場所に貼着するシールとして楽しむことができる袋体が提案されている。
例えば、実用新案登録第３１０７３０９号公報に開示された袋体がある。更に、お年玉を貰った子供が、美しい絵柄のポチ袋を手にして楽しんだ後、更に塗り絵をして遊び、もう１回楽しんで貰うのを目的としたものであり、折りたたむと封筒状になるポチ袋に、塗り絵が出来るように線画を施した構造のものが提案されている。例えば、特開２０１２−１４８５４８号に開示された袋体がある。
【先行技術文献】
【０００４】
【特許文献１】  実用新案登録第３０８８４３０号公報
【０００５】
【特許文献２】  特開２０１２−１４８５４８号公報
【考案の概要】
【考案が解決しようとする課題】
【０００６】  本考案が解決しようとする課題は、従来技術にはない下記３項目を満足する袋体を提供することにある。
（１）袋体の中央部に絵柄等の表示部が浮き出していることにより、意匠性を含めた立体感、及び重厚感、高級感を生み出す。
（２）送る側では、ポチ袋や封筒などの袋体を真心を込めて折って作るという楽しみが生まれる。
（３）貰う側では、折って作られた袋体に包まれた金銭や手紙などを受け取るという従来にはない満足感、或いは充足感が得られると同時に、送る人の気持ちや心、いわゆる真心を感受できる。
以上３項目の効果を性別、年齢層に関係なく生み出すことにある。
そこで、上述した特許文献１の袋体は、金銭や手紙などを抜き取ったあとは、袋本体表面に構成された絵柄や文字、記号などのシールを剥がして他の場所に貼るという楽しみはあるが、本考案が解決しようとする課題（１）〜（３）は満足せしめるものではない。更に、特許文献２の袋体も袋本体表面に美しい絵柄が描かれており、意匠性は得られるものの、金銭や手紙などを抜き取った後は塗り絵をして遊ぶというものであり、年齢層も低年齢層に限られ、袋体も折って作るというよりも組み立てて作るというものであり、本考案が解決しようとする課題を満足せしめるものではなかった。
【課題を解決するための手段】
【０００７】  本考案はこのような事情に鑑みてなされたものであり、紙又はプラスチックシート等の基材の少なくとも片面に所定の柄や文字等の印刷加工を施し、所定の形状に型抜き・折り線加工が施された原紙に於いて、表示部を除く箇所は左右対象となるよう型抜きされており、該左右対称軸で折り返した時に重なり合う一対の頂点の夫々に、左右対称又は非対称の表示部が形成されており、該原紙を折り線に基づき所定の折り加工を施すことにより、所定の形状の表示部が浮き出すように形成されてなることを特徴とする袋体を提供するものである。尚、表示部は絵柄によっては左右対称でない場合もある。【０００８】  又、袋体の材質として上質紙、ケント紙等の一般の紙以外に、耐水性、光沢感、透明感などを付与する目的で、ポリエチレンテレフタレート、ポリプロピレン、ポリ塩化ビニル等のプラスチックシートも使用できる。更に印刷は、公知のオフセット印刷などが使用できるが、その印刷面上に鏡効果を出す目的でメタリック箔を随所に印刷したり、くじなどの遊びを付加させることを目的にスクラッチ印刷などを施しても良い。そして袋本体や、浮き出し表示部にエンボス加工を施し、意匠性を増すことや香料を塗布、印刷、或いは香り玉等を使用し、香りを付加させることも可能である。【０００９】  次に、袋体の表面、裏面、内面上に宛名、氏名、住所、金額、項目、メッセージなどの記入スペースを必要に応じて設けても良い。更に、袋体に付加価値を付ける目的で以下の付属物を袋体に付加させることも有効である。
（１）活眼
表示部、袋本体に活眼を取り付けることにより、印刷では表現できない生きものらしい表情と立体感を出す。
（２）ラインストーン
表示部、袋本体にラインストーン（プラスチック製ダイヤ）を貼り付けることにより、印刷では表現できない立体感と輝きを出す。
（３）シール
表示部、袋本体にシール（特にポリ塩化ビニル、ポリウレタンなどの立体感のある材質が好ましい）を貼り付けることにより、印刷では表現できない立体感と手触り感を出す。
（４）封止め用シール
表示部の中央に貼る封止め用の透明テトロンシール（ミシン目入り）を付属する。このシールは、裏側の閉封にも使用できる。
（５）水引
表示部、袋本体に水引を巻きつけることにより、飾り付けの効果を出す。
（６）帯
表示部、袋本体に紙製の帯を巻き付けることにより、封止めの効果を出すとともに、帯自体に印刷を入れることにより、表示部との合わせ効果を出す。
（７）内袋
内袋（小袋）を付属させることにより、小銭や小物を入れたい時、中で踊らないように安定させる効果を出す。
【考案の効果】
【００１０】  本考案の袋体によれば、
（１）袋体の中央部に絵柄等の表示部が浮き出していることにより、意匠性を含めた立体感、及び重厚感、高級感を生み出す。
（２）送る側では、ポチ袋や封筒などの袋体を真心を込めて折って作るという楽しみが生まれる。
（３）貰う側では、折って作られた袋体に包まれた金銭や手紙などを受け取るという従来にはない満足感、或いは充足感が得られると同時に、送る側の気持ちや心、いわゆる真心を感受できる。
以上３項目の効果を生み出す袋体を提供することが可能となった。
【考案を実施するための最良の形態】
【００１１】  以下、図面に基づき本考案を具体的に説明する。尚、紙等の基材に印刷加工や型抜き・折り線両加工は一般公知の手段を用いて行えば良く、これらの工程を経て得られた原紙から説明する。図面に於いて図１は本考案の袋体の完成体を示す一例の実施例を示す斜視図である。図２は表面印刷がなされた原紙の表面図である。図３は裏面印刷がなされた原紙の裏面図である。次に図２の状態の原紙を裏側から表側に矢印の方向に折り線４ａにそって折り返す。それを表したものが図４に示すものである。次に表示部１を折り線４ｂにそって図５に示す矢印の方向に折り返す。次に図５に示す原紙を逆側に置き折り線４ｃにそって図６に示すように折り返す。次に図６に示す原紙を元通りに表側に置き、図７に示すように折り線４ｄにそって表示部１を矢印の通りに折り返す。最後に図７に示す状態の表示部１の上側部を図８に示す通りに矢印の方向に折り線４ｄにそって折り返すことにより、本考案の袋体の一例の実施例が完成するものである。【００１２】  以上、本考案の袋体の完成体は、上述した一例の実施例に限定されるものでなく、印刷による絵柄、表示部は任意に設定して良く、バリエーションに富んだ袋体を提供することが可能である。
【図面の簡単な説明】
【００１３】
【図１】本考案の袋体の実施例（完成体）を示す斜視図である。
【図２】表面印刷が施された原紙の表面図である。
【図３】裏面印刷が施された原紙の裏面図である。
【図４】折り線４ａで原紙を矢印の方向に折り返した図である。
【図５】折り線４ｂで原紙を矢印の方向に折り返した図である。
【図６】折り線４ｃで原紙を矢印の方向に裏側に折り返した図である。
【図７】折り線４ｄで原紙を矢印の方向に折り返した図である。
【図８】折り線４ｄで表示部の片側の上面を折り返した図である。
【符号の説明】
【００１４】１．  表示部
２．  表面印刷柄
３ａ．裏面印刷柄
３ｂ．裏面印刷柄
４ａ．折り線
４ｂ．折り線
４ｃ．折り線
４ｄ．折り線
５．  折り方向を示す矢印
【図１】
0003179829.tif 000003
【図２】
0003179829.tif 000004
【図３】
0003179829.tif 000005
【図４】
0003179829.tif 000006
【図５】
0003179829.tif 000007
【図６】
0003179829.tif 000008
【図７】
0003179829.tif 000009
【図８】
0003179829.tif 000010
【手続補正書】
【提出日】平成24年9月24日(2012.9.24)
【手続補正１】
【補正対象書類名】明細書
【補正対象項目名】０００４
【補正方法】変更
【補正の内容】
【０００４】
【特許文献１】  実用新案登録第３１０７３０９号公報